(57)【要約】【課題】作業者が作業台に乗った際にバランスが崩れることを抑制できるエスカレーターの作業用足場装置を提供する。【解決手段】エスカレーターの作業用足場装置は、エスカレーターにおいて隣接した複数のステップにまたがった作業台と、前記作業台がまたがった複数のステップのうちの最も前記エスカレーターの上部の側のステップ以外のステップの上方で前記作業台に固定され、前記エスカレーターの上昇運転に伴い前記作業台がまたがった複数のステップの段差が形成された際、前記作業台がまたがった複数のステップのうちの最も前記エスカレーターの上部の側のステップ以外のステップとの接触を維持するように伸長し、前記作業台を支持する伸縮機構、を備えた。【選択図】図３
2019073388.tif 000002
【特許請求の範囲】
【請求項１】
エスカレーターにおいて隣接した複数のステップにまたがった作業台と、
前記作業台がまたがった複数のステップのうちの最も前記エスカレーターの上部の側のステップ以外のステップの上方で前記作業台に固定され、前記作業台がまたがった複数のステップの段差が形成された際、前記作業台がまたがった複数のステップのうちの最も前記エスカレーターの上部の側のステップ以外のステップとの接触を維持するように伸長し、前記作業台を支持する伸縮機構と、
を備えたエスカレーターの作業用足場装置。
【請求項２】
伸縮機構は、
前記作業台がまたがった複数のステップのうちの最も前記エスカレーターの上部の側のステップ以外の隣接した複数のステップの各々の上方で前記作業台に設けられ、前記作業台と前記エスカレーターの上部の側のステップ以外の隣接した複数のステップの各々との高さの差に応じて伸長し、前記作業台を支持する複数の伸縮体、
を備えた請求項１に記載のエスカレーターの作業用足場装置。
【請求項３】
前記作業台がまたがった複数のステップのうちの最も前記エスカレーターの上部の側のステップの上方において前記作業台に積まれる錘、
を備えた請求項１または請求項２にエスカレーターの作業用足場装置。
【請求項４】
前記作業台がまたがった複数のステップのうちの最も前記エスカレーターの上部の側のステップの上方において前記作業台の下部に設けられ、前記作業台がまたがった複数のステップのうちの最も前記エスカレーターの上部の側のステップの溝とかみ合う溝を備えた移動規制体、
を備えた請求項１から請求項３のいずれか１項に記載のエスカレーターの作業用足場装置。
【請求項５】
第１位置に配置された際に前記移動規制体の溝の位置が当該ステップの溝とのかみ合いから解放される位置になるように前記移動規制体を配置させ、第２位置に配置された際に前記移動規制体の溝の位置が当該ステップの溝とかみ合う位置になるように前記移動規制体を配置させる操作体、
を備えた請求項４に記載のエスカレーターの作業用足場装置。
【請求項６】
請求項１から請求項５のいずれか１項に記載の作業用足場装置の伸縮機構を収縮させた状態で前記エスカレーターの水平部において隣接した複数のステップに前記作業用足場装置を設置する設置工程と、
前記設置工程の後、前記エスカレーターを運転して前記作業用足場装置を前記エスカレーターの傾斜部まで移動させ、前記伸縮機構を伸長させることにより前記作業台を支持する支持工程と、
を備えたエスカレーターの作業用足場設置方法。
【請求項７】
前記支持工程の後、前記作業用足場装置の設定を前記伸縮機構が収縮する設定に変更する設定変更工程と、
前記設定変更工程の後、前記エスカレーターを運転して前記作業用足場装置を前記エスカレーターの水平部まで移動させ、前記伸縮機構を収縮させた状態で前記作業台と前記伸縮機構とを撤去する撤去工程と、
を備えた請求項６に記載のエスカレーターの作業用足場設置方法。
【発明の詳細な説明】
【技術分野】
【０００１】
この発明は、エスカレーターの作業用足場装置および作業用足場設置方法に関する。
【背景技術】
【０００２】
特許文献１は、エスカレーターの作業用足場装置を開示する。作業者は、当該作業用足場装置の作業台に乗ってエスカレーターの天井への作業を行うことができる。
【先行技術文献】
【特許文献】
【０００３】
【特許文献１】特開平１１−１４７６８４号公報
【発明の概要】
【発明が解決しようとする課題】
【０００４】
しかしながら、特許文献１に記載の作業用足場装置は、一対の手摺の一方に固定される。このため、作業者が作業台に乗った際にバランスが崩れることもある。
【０００５】
この発明は、上述の課題を解決するためになされた。この発明の目的は、作業者が作業台に乗った際にバランスが崩れることを抑制できるエスカレーターの作業用足場装置を提供することである。
【課題を解決するための手段】
【０００６】
この発明に係るエスカレーターの作業用足場装置は、エスカレーターにおいて隣接した複数のステップにまたがった作業台と、前記作業台がまたがった複数のステップのうちの最も前記エスカレーターの上部の側のステップ以外のステップの上方で前記作業台に固定され、前記作業台がまたがった複数のステップの段差が形成された際、前記作業台がまたがった複数のステップのうちの最も前記エスカレーターの上部の側のステップ以外のステップとの接触を維持するように伸長し、前記作業台を支持する伸縮機構と、を備えた。
【０００７】
この発明に係るエスカレーターの作業用足場設置方法は、前記作業用足場装置の伸縮機構を収縮させた状態で前記エスカレーターの水平部において隣接した複数のステップに前記作業用足場装置を設置する設置工程と、前記設置工程の後、前記エスカレーターを運転して前記作業用足場装置を前記エスカレーターの傾斜部まで移動させ、前記伸縮機構を伸長させることにより前記作業台を支持する支持工程と、を備えた。
【発明の効果】
【０００８】
これらの発明によれば、伸縮機構は、ステップとの接触を維持するように伸長し、作業台を支持する。このため、作業者が作業台に乗った際にバランスが崩れることを抑制できる。
【図面の簡単な説明】
【０００９】
【図１】実施の形態１におけるエスカレーターの作業用足場装置が適用されるエスカレーターの構成図である。
【図２】実施の形態１におけるエスカレーターの作業用足場装置の縦断面図である。
【図３】実施の形態１におけるエスカレーターの作業用足場装置の縦断面図である。
【図４】実施の形態１におけるエスカレーターの作業用足場装置の作業台の平面図である。
【図５】実施の形態１におけるエスカレーターの作業用足場装置の作業台の縦断面図である。
【図６】実施の形態１におけるエスカレーターの作業用足場装置の伸縮体の縦断面図である。
【図７】実施の形態１におけるエスカレーターの作業用足場装置の伸縮体の縦断面図である。
【図８】実施の形態１におけるエスカレーターの作業用足場装置の伸縮体の平面図である。
【図９】実施の形態２におけるエスカレーターの作業用足場装置の作業台を下方から見た際の平面図である。
【図１０】実施の形態２におけるエスカレーターの作業用足場装置の作業台の正面図である。
【発明を実施するための形態】
【００１０】
実施の形態について添付の図面に従って説明する。なお、各図中、同一または相当する部分には同一の符号が付される。当該部分の重複説明は適宜に簡略化ないし省略される。
【００１１】
実施の形態１．
図１は実施の形態１におけるエスカレーターの作業用足場装置が適用されるエスカレーターの構成図である。
【００１２】
図１において、エスカレーターは、隣接階にまたがる。下部乗降口１は、隣接階のうちの下方階に設けられる。上部乗降口２は、隣接階のうちの上方階に設けられる。
【００１３】
複数のステップ３は、下部乗降口１と上部乗降口２との間に設けられる。複数のステップ３は、無端状に設けられる。
【００１４】
一対のスカートガード４の一方は、複数のステップ３の一側に隣接する。一対のスカートガード４の他方は、複数のステップ３の他側に隣接する。一対の欄干５の一方は、一対のスカートガード４の一方の上部に固定される。一対の欄干５の他方は、一対のスカートガード４の他方の上部に固定される。
【００１５】
一対の案内レール６の一方は、一対の欄干５の一方の上部に設けられる。一対の案内レール６の他方は、一対の欄干５の他方の上部に設けられる。一対の手摺７の一方は、無端状に形成される。一対の手摺７の一方は、一対の案内レール６の一方に案内される。一対の手摺７の他方は、無端状に形成される。一対の手摺７の他方は、一対の案内レール６の他方に案内される。
【００１６】
エスカレーターの設定が上昇運転の設定となっている場合、下部乗降口１は乗り口となる。上部乗降口２は降り口となる。エスカレーターが上昇運転を開始すると、複数のステップ３と一対の手摺７とは、同期して移動する。
【００１７】
エスカレーターの設定が下降運転の設定となっている場合、上部乗降口２は乗り口となる。下部乗降口１は降り口となる。エスカレーターが下降運転を開始すると、複数のステップ３と一対の手摺７とは、同期して移動する。
【００１８】
作業者は、エスカレーターの天井への作業を行う際に作業用足場装置８を利用する。例えば、作業者は、照明を取り付けたり交換したりする際に作業用足場装置８を利用する。
【００１９】
次に、図２と図３とを用いて、作業用足場装置８を説明する。
図２と図３とは実施の形態１におけるエスカレーターの作業用足場装置の縦断面図である。
【００２０】
図２に示されるように、作業用足場装置８は、作業台９と伸縮機構１０と錘１１とを備える。
【００２１】
例えば、作業台９は、矩形状に形成される。隣接した複数のステップ３にまたがるように設けられる。
【００２２】
伸縮機構１０は、複数の伸縮体１２を備える。
【００２３】
複数の伸縮体１２の各々は、伸縮自在に設けられる。複数の伸縮体１２の各々は、収縮しない設定と収縮する設定とに切り替え得るように設けられる。複数の伸縮体１２の各々は、ねじ１３により作業台９に固定される。
【００２４】
具体的には、複数の伸縮体１２は、エスカレーターの下部または上部の水平部において作業台９が複数のステップ３の上方にまたがった際に当該複数のステップ３のうちの最もエスカレーターの上部の側のステップ３以外の隣接した複数のステップ３の各々に積まれるように設けられる。
【００２５】
例えば、錘１１は、直方体状に設けられる。錘１１は、複数の伸縮体１２が伸縮する際に作業台９がステップ３上において水平状態を保持することができる重さを有している。
【００２６】
複数の伸縮体１２の各々の設定が収縮しない設定である際にエスカレーターが運転されると、図３に示されるように、エスカレーターの傾斜部において、複数の伸縮体１２の各々は、作業台９と複数のステップ３の各々との高さの差に応じて自重により伸長する。その結果、複数の伸縮体１２は、作業台９の上面を水平に維持した状態で作業台９を支持する。
【００２７】
その後、作業台９がエスカレーターの天井の作業個所の直下に到達するまで、エスカレーターが運転される。その後、錘１１は、作業台９がまたがった複数のステップ３のうちの最もエスカレーターの上部の側のステップ３の上方において作業台９に積まれる。その結果、作業台９は、上面を水平にした状態で安定する。
【００２８】
この状態において、作業者は、作業台９に乗ってエスカレーターの天井への作業を行う。エスカレーターの天井への作業が終わると、作業者は、作業台９から降りる。
【００２９】
その後、複数の伸縮体１２の各々の設定が収縮する設定に切り替えられる。その後、作業用足場装置８がエレベーターの下部または上部の水平部に到達するまで、エスカレーターが運転される。
【００３０】
この際、作業台９の下方において複数のステップ３の段差がなくなる。その結果、複数の伸縮体１２の各々は、収縮する。この状態において、作業台９と錘１１と伸縮体１２とが撤去される。
【００３１】
次に、図４と図５とを用いて、作業台９を説明する。
図４は実施の形態１におけるエスカレーターの作業用足場装置の作業台の平面図である。図５は実施の形態１におけるエスカレーターの作業用足場装置の作業台の縦断面図である。
【００３２】
図４と図５とにおいて、作業台９の幅寸法は、図４と図５とにおいて図示されないステップ３の幅寸法に合わせて設けられる。作業台９の奥行寸法は、状況に応じて複数のステップ３の奥行寸法の合計に合わせて決定される。
【００３３】
作業台９は、複数のねじ穴９ａを備える。複数のねじ穴９ａの各々は、図４と図５とにおいては図示されないねじ１３に対応して形成される。
【００３４】
次に、図６から図８を用いて、伸縮体１２を説明する。
図６と図７とは実施の形態１におけるエスカレーターの作業用足場装置の伸縮体の縦断面図である。図８は実施の形態１におけるエスカレーターの作業用足場装置の伸縮体の平面図である。
【００３５】
図６と図７とに示されるように、伸縮体１２は、基部１２ａと接触部１２ｂと一対の伸縮部１２ｃとを備える。
【００３６】
基部１２ａは、矩形状に形成される。基部１２ａの幅寸法は、ステップ３の幅寸法に合わせて設けられる。基部１２ａの奥行寸法は、ステップ３の奥行寸法に合わせて決定される。基部１２ａは、図６と図７とにおいて図示されない作業台９に固定され得るように形成される。
【００３７】
接触部１２ｂは、矩形状に形成される。接触部１２ｂの幅寸法は、ステップ３の幅寸法に合わせて設けられる。接触部１２ｂの奥行寸法は、ステップ３の奥行寸法に合わせて決定される。接触部１２ｂは、ステップ３に積まれ得るように形成される。
【００３８】
一対の伸縮部１２ｃの一方は、伸縮自在に設けられる。一対の伸縮部１２ｃの一方は、パンタグラフ構造により実現される。一対の伸縮部１２ｃの一方は、基部１２ａの一側と接触部１２ｂの一側とに連結される。
【００３９】
一対の伸縮部１２ｃの他方は、伸縮自在に設けられる。一対の伸縮部１２ｃの他方は、パンタグラフ構造により実現される。一対の伸縮部１２ｃの他方は、基部１２ａの他側と接触部１２ｂの他側とに連結される。
【００４０】
一対の伸縮部１２ｃの各々は、図示されないストッパを備える。例えば、当該ストッパは、一対の伸縮部１２ｃの各々の少なくとも一つの関節部に設けられる。例えば、当該ストッパは、ラチェット機構である。
【００４１】
当該ストッパが機能している場合、伸縮部１２ｃの収縮方向の動作は規制される。その結果、伸縮体１２の設定は収縮しない設定となる。
【００４２】
当該ストッパが解除されている場合、伸縮部１２ｃの収縮方向の動作は規制されない。その結果、伸縮体１２の設定は収縮する設定となる。
【００４３】
図８に示されるように、基部１２ａは、複数のねじ穴１２ｄを備える。複数のねじ穴１２ｄの各々は、図８において図示されないねじ１３に対応して形成される。
【００４４】
以上で説明した実施の形態１によれば、伸縮機構１０は、ステップ３との接触を維持するように伸長し、作業台９を支持する。このため、作業者が作業台９に乗った際にバランスが崩れることを抑制できる。
【００４５】
具体的には、作業用足場装置８がエスカレーターの水平部から傾斜部に移動した際、複数の伸縮体１２は、作業台９とステップ３との高さの差に応じて伸長する。このため、作業用足場装置８を容易に設置することができる。
【００４６】
また、錘１１は、複数のステップ３のうちの最もエスカレーターの上部の側のステップ３の上方において作業台９に積まれる。このため、作業台９の安定性を確保することができる。
【００４７】
また、作業用足場装置８がエスカレーターの傾斜部から水平部に移動した際、複数の伸縮体１２は収縮する。このため、作業用足場装置８を容易に撤去することができる。
【００４８】
また、ストッパが機能している場合、伸縮部１２ｃの収縮方向の動作は規制される。このため、伸縮部１２ｃの伸長状態を維持するための補強作業が不要となる。
【００４９】
なお、状況に応じて、複数の伸縮体１２のうちの中央の伸縮体１２を用いなくてもよい。
【００５０】
実施の形態２．
図９は実施の形態２におけるエスカレーターの作業用足場装置の作業台を下方から見た際の平面図である。図１０は実施の形態２におけるエスカレーターの作業用足場装置の作業台の正面図である。
【００５１】
実施の形態２の作業用足場装置８は、実施の形態１の作業用足場装置８に対して移動規制体１４と操作体１５とが付加された装置である。
【００５２】
図９に示されるように、移動規制体１４は、作業台９の一側において作業台９の下部に設けられる。移動規制体１４は、複数の溝１４ａを備える。図９においてステップ３は図示されないが、複数の溝１４ａは、作業台９がまたがった複数のステップ３のうちの最もエスカレーターの上部の側のステップ３の溝とかみ合うように設けられる。
【００５３】
図１０に示されるように、操作体１５は、作業台９に設けられる。例えば、操作体１５は、作業台９の一側を貫通する。例えば、操作体１５は、回転式のレバーである。例えば、操作体１５は、折り畳み得るように設けられる。操作体１５は、作業者による操作に応じて第１位置と第２位置とに配置され得るように設けられる。
【００５４】
操作体１５が第１位置に配置された際、移動規制体１４は、複数の溝１４ａが図１０において図示されないステップ３の溝とのかみ合いから解放される位置に配置される。操作体１５が第２位置に配置された際、移動規制体１４は、複数の溝１４ａがステップ３の溝とかみ合う位置に配置される。
【００５５】
以上で説明した実施の形態２によれば、移動規制体１４の複数の溝１４ａは、ステップ３の溝にかみ合う。このため、作業台９がまたがった複数のステップ３のうちの最もエスカレーターの上部の側のステップ３から作業台９がステップ３の幅方向にずれることを抑制できる。
【００５６】
また、操作体１５が第１位置に配置された際、移動規制体１４は、複数の溝１４ａがステップ３の溝とのかみ合いから解放される位置に配置される。操作体１５が第２位置に配置された際、移動規制体１４は、複数の溝１４ａがステップ３の溝とかみ合う位置に配置される。このため、作業用足場装置８を設置および撤去を容易に行うことができる。
【００５７】
なお、複数の伸縮体１２のうちの少なくとも一つを空気圧式のシリンダー型ジャッキとしてもよい。この場合、ジャッキの内部に空気を取り込めば、ジャッキを伸長方向に自由に動作させることができる。
【００５８】
この際、実施の形態１と同様に、ジャッキの収縮方向の動作は規制を規制するストッパを設ければよい。また、ジャッキの伸長後の長さを調整するレバーまたはスイッチを設ければよい。
【００５９】
また、空気圧式のシリンダー型ジャッキに緩衝機能を付加すれば、空気圧の急激な変化によりジャッキが急激に収縮することを抑制できる。その結果、作業用足場装置８がエスカレーターの傾斜部から水平部に移動した際、複数の伸縮体１２は、作業台９とステップ３との高さに応じて徐々に収縮する。このため、作業用足場装置８を容易かつ安全に撤去することができる。
【符号の説明】
【００６０】
１  下部乗降口、  ２  上部乗降口、  ３  ステップ、  ４  スカートガード、  ５  欄干、  ６  案内レール、  ７  手摺、  ８  作業用足場装置、  ９  作業台、  ９ａ  ねじ穴、  １０  伸縮機構、  １１  錘、  １２  伸縮体、  １２ａ  基部、  １２ｂ  接触部、  １２ｃ  伸縮部、  １２ｄ  ねじ穴、  １３  ねじ、  １４  移動規制体、  １５  操作体
【図１】
2019073388.tif 000003
【図２】
2019073388.tif 000004
【図３】
2019073388.tif 000005
【図４】
2019073388.tif 000006
【図５】
2019073388.tif 000007
【図６】
2019073388.tif 000008
【図７】
2019073388.tif 000009
【図８】
2019073388.tif 000010
【図９】
2019073388.tif 000011
【図１０】
2019073388.tif 000012